(57)【特許請求の範囲】
【請求項１】
環状の周縁枠部材と、複数の剛性の細線とを備え、上記細線は芯材と該芯材を密着して覆う収縮性の被覆部材とで形成されており、
上記周縁枠部材の前額部及び後頭部に対応する内周縁に、上記細線の端部を差し込むことができる穴が複数形成され、
上記細線の両端部がそれぞれ上記穴に差し込まれて上記周縁枠部材に取り付けられることで、上記細線が上記周縁枠部材の内周縁で囲まれる領域内に前後に伸びるように配置され、
上記周縁枠部材に取り付けられた複数の上記細線が上記周縁枠部材の内周縁領域内で他の細線と交差し、その交差点において各細線が他の細線の動きに関与しないように、各細線同士が無接続で配置されていることを特徴とする、自毛活用型かつらのかつらベース。
【請求項２】
前記周縁枠部材の両側部にガイド細線を配置し、それらのガイド細線に沿って摺動可能にスライド細線を設けたことを特徴とする、請求項１に記載の自毛活用型かつらのかつらベース。
【請求項３】
前記被覆部材が熱収縮性のチューブにより形成され、剛性のある前記芯材のまわり及び両端部が上記チューブで被われ、該チューブが熱収縮されることで前記芯材に密着していることを特徴とする、請求項１又は２に記載の自毛活用型かつらのかつらベース。
【請求項４】
前記細線の両端部の少なくとも一端部において、前記チューブが前記芯材よりも長く形成され、該チューブが芯材の両端から外方へ縮径状態で延出していることを特徴とする、請求項３記載の自毛活用型かつらのかつらベース。
【請求項５】
前記被覆部材が伸縮性のある円筒状の伸縮部材により形成され、剛性のある前記芯材を該伸縮部材が長さ方向に引っ張られて延びた状態で密着して覆い、該伸縮部材の上記芯材端部より延びた部分が折り曲げて上記芯材に縛りつけられていることを特徴とする、請求項１又は２に記載の自毛活用型かつらのかつらベース。
【請求項６】
請求項３乃至５のいずれかに記載のかつらベースを有し、前記チューブ又は伸縮部材に毛髪が取り付けられていることを特徴とする、自毛活用型かつら。
【請求項７】
前記細線に取り付けられる毛髪として、細線の側面に縮髪が取り付けられ、細線の外方に露呈する面に直毛が取り付けられていることを特徴とする、請求項６記載の自毛活用型かつら。
【請求項８】
請求項１又は２に記載のかつらベースを有し、前記細線及びスライド細線に毛髪が取り付けられていることを特徴とする、自毛活用型かつら。
【発明の詳細な説明】
【０００１】
【発明の属する技術分野】
この発明は、頭髪を植毛用の細線の間から外方へ引き出してかつらベースに植設された毛髪と混合するようにした自毛活用型かつら及びそのかつらベース並びにみの毛に関する。
【０００２】
【従来の技術】
従来のかつらは、一般に、かつらの全体形状を画成するかつらベースに多数の毛髪を植設して形成されるが、このうち自毛活用型のかつらは、かつらベースに複数の孔又は網目を形成して、その孔又は網目から自毛を引き出すもののほか、図１７に示すような自毛活用型の増毛部材６０が知られている。これは、２つの保持部材６１，６１の間に複数の線材６２を平行に架け渡し、保持部材６１，６１と線６２に多数の毛髪を植設したものである。
この増毛部材６０を取り付ける場合、止め具を用いて頭部に増毛部材６０を載せて位置合わせした後、各線材６２間の空間から整髪用ブラシ等を用いて自毛を引き出し、次いで引き出した自毛を線材６２に植設した毛髪と絡み合わせることにより、自毛を活用して増毛部材６０を装着するようにしている。
【０００３】
【発明が解決しようとする課題】
しかしながら、このように構成された自毛活用型の増毛部材６０は、線材６２がゴムひもなどにより弾力性及び伸縮性に富むよう棒状に構成されているので、その棒状の線材６２は、ブラシや櫛などで自毛を引き出した際に、自毛の動きにより、線材６２自体の形が歪むなどして変形してしまう。形体が変形すると安定性がなく、自毛と植毛された毛髪と絡み合わせてヘアスタイルを作ることが容易ではなくなる。
【０００４】
したがって、ヘアスタイルを作り易くするために、増毛部材６０自体の形を元の形体に戻さなければならない。例えば、自毛が各線材６２間から引き出された状態で各線材６２の型が変形している場合には、前後に引っ張っらないと元の形体に戻らない。このとき、各保持部材６１，６１を前後に引っ張るとある程度形状復元するが、自毛が各線材６２間から出ている分強く引っ張らなければならず、引っ張った後に例えば止め具を用いて増毛部材６０を自毛に止めると、引っ張られている分、自毛や地肌をいため脱毛を助長し得る課題がある。
【０００５】
この発明は以上の点にかんがみて創作されたもので、自毛や地肌への影響を緩和しつつ自毛を活用して増毛し得るとともに、種々のヘアスタイルに自由に整えることができる自毛活用型かつら、そのかつらベース、みの毛及びみの毛の取付方法を提供することを目的とする。
【０００６】
【課題を解決するための手段】
上記目的を達成するために、本発明の自毛活用型かつらのかつらベースは、環状の周縁枠部材と、複数の剛性の細線とを備え、細線は芯材と芯材を密着して覆う収縮性の被覆部材とで形成されており、周縁枠部材の前額部及び後頭部に対応する内周縁に、細線の端部を差し込むことができる穴が複数形成され、細線の両端部がそれぞれ穴に差し込まれて上記周縁枠部材に取り付けられることで、細線が周縁枠部材の内周縁で囲まれる領域内に前後に伸びるように配置され、周縁枠部材に取り付けられた複数の細線が周縁枠部材の内周縁領域内で他の細線と交差し、その交差点において各細線が他の細線の動きに関与しないように、各細線同士が無接続で配置されていることを特徴としている。
被覆部材としては、後述する熱収縮性のチューブやパイプ状の組み紐，ネットなどが好適である。
【０００７】
さらに、前記周縁枠部材の両側部にガイド細線を配置し、それらのガイド細線に沿って摺動可能にスライド細線を付加するようにしてもよい。
【０００９】
前記細線は、剛性のある芯材のまわりを熱収縮性のチューブで密着して被われており、好ましくは、チューブは芯材よりも長く形成されている。または、細線は、剛性のある芯材のまわりを伸縮性のある円筒状の伸縮部材が長さ方向に引っ張られて延びて被われていてもよい。伸縮性のある円筒状の伸縮部材としては、パイプ状の組み紐，ネットなどがある。
【００１１】
本発明における細線は、剛性のある芯材のまわり及び両端部が熱収縮性のチューブで被われ、チューブが熱収縮されることで芯材に密着していてもよい。好ましくは、細線の両端部の少なくとも一端部において、チューブが芯材よりも長く形成され、チューブが芯材の両端から外方へ縮径状態で延出している。
本発明における細線は、剛性のある芯材を伸縮性のある円筒状の伸縮部材が長さ方向に引っ張られて延びた状態で密着して覆い、伸縮部材の芯材端部より延びた部分が折り曲げて芯材に縛りつけられていてもよい。
【００１２】
また、上記目的を達成するために、本発明では、細線のチューブ又は伸縮部材に毛髪を取り付けたみの毛を使用できる。このみの毛に、頭部の自毛を適宜の位置で取り付けるようにすれば確実にみの毛を頭部に取り付けることができる。
このみの毛は、剛性のある芯材のまわりが収縮性の被覆部材で密着して覆われた細線と、細線に取り付けられた毛髪とを備え、毛髪として、細線の側面に縮髪を、細線の外方に露呈する面に直毛を、取り付けるようにしてもよい。
本発明の自毛活用型かつらは、上記のようなかつらベースを有し、細線に毛髪が取り付けられている。
【００１３】
上記各構成によれば、例えば特に各細線の間から自毛が引き出されて、細線が引っ張られたとしても、細線自体が剛性且つ弾力性をそなえていることから、元の形に復元し、また、各細線が周縁枠部材などに固定されているため、かつらベース及びかつら自体の型が安定し、自毛や地肌を痛めずにヘアスタイルを容易に調節することができる。
また、上記の細線によれば、芯材と熱収縮性のチューブなどの被覆部材で構成することで、確実に且つ簡単に植毛作業を行うことができる。
【００１４】
【発明の実施の形態】
以下、図面に示した実施形態に基づいてこの発明を詳細に説明する。
図１はこの発明の一実施形態に係る自毛活用型かつらの、植設した毛髪を省略した状態の概略平面図である。
図１において、自毛活用型かつら１０は、上側が前額部に対応し下側が後頭部に対応しており、全体が使用者の頭部の薄毛部分を覆う形状及びサイズとなるよう部分かつらとして形成されている。この実施形態の自毛活用型かつら１０は、基本的には平面視環状に形成される周縁枠部材１１内に複数本の細線１２を縦方向（使用者の頭部の前後方向）に配置して形成したかつらベースで成っている。図１に示すように細線１２は、周縁枠部材１１の内周領域内の後頭部側で他の細線１２と交差して周縁枠部材１１に取り付けられている。なお、その交差点において、各細線１２同士は接続、接着、逢着などされておらず、他の細線１２に関わらず自由に動くことができるようになっている。
【００１５】
各細線１２は弾性及び剛性を有し、芯材１２ａとそれを被覆する被覆部材１２ｂにより構成され（図２参照）、例えば、０．１〜３．０ｍｍ程度の太さ（直径）に形成されている。芯材１２ａはドライヤ等の熱の影響を受けにくい材料、例えばポリアミド系合成繊維，ポリエステルなどの合成樹脂，金属，紙，ゴム，木，竹，ネット，ガラス，カーボン等の弾性及び剛性を備えた材料、好ましくは頭皮の形状に沿って湾曲した形状記憶樹脂から構成され、例えば０．１〜３．０ｍｍ程度の太さのものが選ばれる。この細線１２には多数の毛髪が取り付けられるので、その全体重量に抗して頭部形状に沿った湾曲状態を維持できる程度の剛性と弾力性を有する材料で芯材が構成されるのが好ましい。
【００１６】
また、芯材１２ａとしてポリアミド系合成繊維，ポリエステルなどの剛性樹脂を用いる場合、例えば直径１０〜３０ｃｍ程度のロールに巻かれているポリアミド系合成繊維，ポリエステルなどの線をカットして用いると、やや弧状に湾曲した線形となるので、頭部の形状に適合し得る。また、ロールから引き出されてカットされた芯材に熱を加えて型作りして、頭部の形状に適合する型に成形したものも好適である。
さらに、この芯材１２ａのまわりを被覆部材１２ｂが被って細線１２が形成されるが、被覆部材としては熱収縮性のチューブが有利であり、この熱収縮性のチューブを用いた細線１２について次に説明する。
【００１７】
図２（ａ）〜（ｃ）は、熱収縮性のチューブ（以下、チューブと言う）で被覆されている細線１２の製造例を説明するための側面図である。
図２（ａ）に示すように、細線１２は、芯材１２ａとこの芯材１２ａを被覆する熱収縮性のチューブ１２ｂとから構成されている。チューブ１２ｂは、芯材１２ａの外径より大きい内径を有しており、収縮される前のチューブ１２ｂに芯材１２ａを差し込み、１００℃〜１０５℃の温度範囲で数十分程度（例えば、５分〜３０分）加熱処理を施すことで、チューブ１２ｂが熱収縮して芯材１２ａに密着する。この際、チューブ１２ｂは芯材１２ａの全長より長く形成されているので、加熱処理後は、図２（ｂ）に示すように、残余のチューブ１２ｂが芯材１２ａの両端からさらに外方へ縮径状態で延出している。このように、チューブ１２ｂは芯材１２ａよりも長く形成されるのが望ましい。加熱処理を施された細線１２の表面は、弾性のあるゴム質状の表面をなしているが、艶があるため、やすりなどでその表面を擦り、図２（ｃ）に示すように艶消しされていれば、迷彩効果に富んで好ましい。また、薬液処理にて艶消しすることも可能である。
【００１８】
なお、チューブ１２ｂは、ポリオレフィンやポリエチレン或いはエチレン・プロピレン・ゴム（Ｅ．Ｐ．Ｒ）を主成分として構成したものが用いられ、１００℃〜１０５℃で少なくとも径方向に４０パーセント及びチューブの軸方向に大きくとも１５パーセントの収縮特性を有するものが好適である。また、芯材１２ａとしては、チューブ１２ｂよりも変形温度が高いものを用いるのが好ましい。
【００１９】
さらに、被覆部材としては、チューブ１２ｂの代わりに、ポリエステル，ポリアミド系合成繊維，天然繊維などで編み込まれたパイプ状の組み紐，ネットなど（以下、編み込みパイプと言う）を用いることができる。
ここで、図３（ａ）〜（ｄ）は被覆部材として、編み込みパイプで被覆されている細線１２の製造例を説明するための側面図である。
【００２０】
図３（ａ）に示すように、形態が収縮される前の編み込みパイプ１２ｃに芯材１２ａを差し込んで、図３（ｂ）に示すように芯材１２ａをこれより長尺の編み込みパイプ１２ｃ内に収容する。次に、図３（ｃ）に示すように、編み込みパイプ１２ｃの両端部を長さ方向に引っ張ると、編み込みパイプ１２ｃが延びるとともに、パイプ内径が収縮して芯材１２ａに密着する。そして、編み込みパイプ１２ｃの延びた部分を図３（ｄ）に示すように、折り曲げて他の紐１２ｄで縛りつけることで、細線１２が形成される。
なお、上記被覆部材のカラー（色）は、植毛する毛髪やファイバー、地肌の色に合わせて使い分けて構成する。
【００２１】
次に、図１に示す周縁枠部材１１は、かつらの形状を画成し、これを一定に保持して型くずれを防止するための型保持を行なうものであり、ポリアミド系合成繊維，ポリエステル製のネット又はポリウレタン等を素材とした人工皮膚などで構成されており、また上記細線１２を固定するものでもある。すなわち、この周縁枠部材１１は、かつらの型くずれを防ぐため、周縁が幅広の布テープやレースで縁取りされるか或いは樹脂コーティングなどで比較的肉厚に且つ剛性に縁取りすることにより形成される。また、周縁枠部材１１は、上記合成繊維で構成されたネットを２枚重ね合わせて、形成されてもよい。
【００２２】
ここで、図４（ａ）に示すように、細線１２は周縁枠部材を構成する２枚のネット１１ａ，１１ｂの間に挟み込まれ、図４（ｂ）に示すように、細線１２を挟み込んだ状態で上下のネット１１ａ，１１ｂに対して、毛髪１５を結着することにより、細線１２が周縁枠部材１１に確実に取り付けられるようになっている。これに代えて、上下のネット１１ａ，１１ｂ及び細線１２をともに超音波溶着により又は接着剤により接着することで取り付けてもよい。
なお、周縁枠部材１１に取り付けられる細線１２は自毛の粗密の程度によりその数を適宜増減することができる。
【００２３】
図５は、上記自毛活用型かつら１０（取り付けられるべき毛髪の図示を省略）を頭部に取り付けた状態を示す斜視図であり、各細線の間から自毛（図示省略）が引き出される。この場合、かつら１０を頭の上から一方の手で押さえつつ、ブラシまたは櫛等を用いて頭部前方から後方にかけてブラッシングすることにより、各細線１２間に抑え込まれている十分な量の自毛を簡単に外方へ引き出すことができる。
この際、ブラッシングにより細線１２がたとえ上方へ浮いたとしても、細線１２が形状復元性、弾力性がある形状記憶樹脂材などで弧状にに成形されていると頭形に沿った元の形状にすぐに復元する。
上述のように、自毛をかつら１０の外面へ引き出したところで、整髪用ブラシ等により軽くブラッシングして、自毛と植設された毛髪とを絡み合わせながら所望の髪型に整髪することにより、かつらの装着が完了する。
【００２４】
このようにして使用者の頭部に装着されたかつら１０は、自毛が引き出される際、細線１２も自毛の動きによってともに動くが、細線１２自体が剛性且つ弾力性をそなえるため、櫛などで自毛が引っ張られるに伴って細線１２自体が引っ張られたとしても弾力により元の形に戻る。
また、各細線１２の間から引き出された自毛は、細線１２が相互に交差して各細線１２間の幅が変化していることで、自毛が適度に交差点で締め付けられて、引き出された状態を保持できるようになっている。
【００２５】
また、自毛を引き出す際に細線１２自体も引っ張られて周縁枠部材１１にもその引張力が加わるが、周縁枠部材１１も剛性をもって形成されているため、型くずれせず、安定してヘアスタイルを作ることができる。
さらに、各細線１２間の交差点が接着などにより接続されていないことから、自毛の引き出しを容易に行なえるとともに、引き出された自毛が頭皮面側に倒れ込みすぎないように、細線１２同士の交差点に支持されて、例えば、細線１２の上にのることで、髪の一層のボリューム感を出すことができる。
【００２６】
なお、弾力のある細線１２は、ある一定の間隔に取り付けられているため、分け目スタイル、地肌を出したスタイルも可能となる。また、被覆部材１２ｂ，１２ｃが弾力性に富みむので、植設された毛髪の根元の立ち上がりが良くなるためバックスタイルも可能となる。
また、細線１２が芯材１２ａとそのまわりを被う被覆部材１２ｂ，１２ｃから構成され、その被覆部材１２ｂ，１２ｃがゴム状或いは化繊質であるため、毛髪１５の植設作業が極めて容易になる。
【００２７】
なお、上述した実施形態においては、各細線１２が周縁枠部材１１の内周縁領域内で互いに交差する態様を示した。ここで、図６は本発明の他の実施形態に係る自毛活用型のかつらの概略平面図であり、この実施形態のものは、各細線１２が互いに平行して配列されている。なお、図６中、上側が前額部に対応し下側が後頭部に対応している。また、図７は、図６に示すかつら１０（植毛された毛髪の図示を省略）を頭部に取り付けた状態を示す斜視図であり、各細線１２の間から自毛（図示省略）が引き出される。
また、図６及び図７に示すように、細線の先端部１２ｅが前額部辺りの周縁枠部材１１からはみ出て形成されてもよい。この場合は、毛髪１５が細線の先端部１２ｅに多数取り付けられることになるので、周縁枠部材１１の前額部に位置する横方向のラインが一層露顕しにくくなる。
【００２８】
ところで、上記の実施形態では、細線１２を周縁枠部材１１に結着，接着する構成を説明したが、これらに代えて、細線１２を周縁枠部材１１に取り外し可能に構成することもできる。
ここで、図８は、周縁枠部材１１に対して細線１２を取り外し可能にする構成を示している。この周縁枠部材１１には、例えば前額部及び後頭部に対応する内周縁に細線１２が差し込まれる穴１１ｃが形成されている。図８（ｂ）は本実施形態に係る周縁枠部材１１の細線１２が取り付けられる要部の部分拡大斜視図であり、図８（ｂ）に示すように、その穴１１ｃに細線１２の両端が挿入されて固定されるようになっている。このような周縁枠部材１１を用いると、使用者の自毛が延びる方向や増毛すべき箇所などに応じて、自由に細線１２を周縁枠部材１１に取り付けることができ、植毛した毛髪を取り付けたそのようなかつらを装着すれば使用者の薄毛の分布状態に合わせた適当な増毛ができる。
【００２９】
次に、本発明のさらに他の実施形態例について図９を参照して説明する。
図９に示す実施形態のものは、図８で説明した周縁枠部材１１から着脱可能な細線１２を備えたかつらにおいて、さらに補助部材として、これらの細線１２に直交するスライド細線１３を付加したものである。なお、上記で説明した同一符号のものについては、その説明を省略する。また、図面を分かりやすくするために、かつら１０に植毛されている毛髪の図示を省略している。
【００３０】
図９に示す周縁枠部材１１には、細線１２が前額部と後頭部対応位置の間に懸架されている。また、この周縁枠部材１１の左右両側部において、頭皮と接する内面側に、ガイド細線１４が細線１２と同方向、すなわちかつらの前後方向（図中の左側と右側方向が前額部側と後額部側に対応）に配設されている。これら左右一対のガイド細線１４は、各端部が周縁枠部材１１に連結支持されているが中央部分は周縁枠部材１１とは固着されていない。そして、上記スライド細線１３の両端に形成したループ１３ａ，１３ａがガイド細線１４に通されて、このガイド細線１４に沿ってスライド細線１３を前後方向へ摺動することができるようになっている。上記各ガイド細線１４，１４は互いに平行になるように、その両端部が周縁枠部材１１の内面に接着，縫着或いは超音波溶着等で固着される。
【００３１】
上記スライド細線１３及びこれを支持するやガイド細線１４は、前記細線１２と同一の材料で形成することができ、前記芯材１２ａと同じように剛性かつ弾力性をそなえ、ポリエステル，ポリアミド系合成繊維などのほか一定の形状を保持し得る形状記憶合金などを用いて構成される。
上記補助部材（スライド細線１３及びガイド細線１４）を付加することにより、増毛効果を高めたい位置にスライド細線１３をスライドさせ、各細線１２間から引き出した髪をそのスライド細線１３の上にのせることで、引き出した自毛が再び頭皮へ倒れ込むのを抑制でき、自毛が外方へ延びた状態を保持できるので、視覚的に増毛効果を高めることができる。
なお、上記スライド細線１３は、図９に示すように横断方向に２本以上で懸架してもよい。また、ガイド細線１４は、細線１２自体を利用してもよい。たとえば、左右両端側に配置した細線１２をガイド部材として利用し、これにスライド細線１３を懸架するようにしてもよい。
【００３２】
上記の例では、細線が環状の周縁枠部材１１に取り付けられてかつらベースが構成される場合を説明したが、フレーム状にかつらベースを構成する態様について図１０〜図１２を用いて説明する。
図１０〜図１２は、本発明の実施形態に係る他の自毛活用型かつらのフレームの平面図であり、先ず図１０に示すフレーム２０は、櫛状に形成され、細線１２の一端が略長方形状の厚みをもった平面部材２１に取り付けられて形成されている。なお、平面部材２１は周縁枠部材１１と同様に、ホット又は人工皮膚などで構成することができる。平面部材２１の周縁の一辺に取り付ける複数の細線１２は、図８に示した差し込み穴１１ｃを平面部材２１の端縁に形成し、そこに細線１２を差し込んで取り付けるてもよく、或いは、接着，超音波などで取り付けるような構成であってもよい。
【００３３】
さらに、図１１に示すフレーム３０は、図１０に示すフレーム２０と異なり、平面部材２１の周縁の左右両端縁から、それぞれ反対方向に延出するように細線１２が取り付けられて構成される。
また、図１２に示すフレーム４０は、細線１２が取り付けられる平面部材が人工皮膚４１で構成されていることを特徴とする。この場合、人工皮膚４１を形成する際に、例えばポリウレタン樹脂を複数の層で重ね合わせて固化していく人工皮膚４１の間に細線１２の一端を挟み込んで一体的に形成する。
なお、フレーム２０，３０，４０を用いてかつらを形成する場合、細線１２の他に平面部材２１，人工皮膚４１にも毛髪が植毛される。
【００３４】
次に、各細線１２への毛髪の植毛法の一例を説明する。図１３（ａ）は、細線１２に毛髪１５を植設した状態を示す部分拡大斜視図であり、図１３（ｂ）はその側面図、図１３（ｃ）はＡ−Ａ断面図である。
図１３（ａ）に示すように、細線１２の表面に毛髪１５ａ，１５ｂを取り付ける場合、植毛針（図示せず）にて外側のチューブ１２ｂ（図２）だけに結着するのが好ましい。芯材１２ａは硬質であるので針が貫通しにくく作業効率に劣る。外側のチューブ１２ｂに針を通すことにより、毛髪１５は確実に且つ容易に細線１２に取り付けられることができる。
なお、図１３（ａ）では、細線１２の周囲のみならず、端縁にまで毛髪１５を取り付ける例を示している。
【００３５】
ここで、図１３（ｂ）に示される細線１２は、下側が頭皮表面側で上側が外方であると仮定すると、細線１２の外方側には長尺の直線或いはカールした毛髪１５ａが取り付けられ、図１３（ｂ）及び図１３（ｃ）に示すように、細線の切り口や側面には、短尺の縮毛１５ｂが取り付けられている。なお、図１３（ａ）において、細線１２自体を外部から視認しづらくするために、細線１２の切り口、端部にも毛髪或いはファイバーが植毛されているが、細線１２の端部がかつらベースに取り付けられて、隠れてしまうような場合には、設ける必要はない。
【００３６】
また、細線１２や周縁枠部材１１などに取り付ける毛髪１５ａ，１５ｂは人毛に限らず各種の人工毛髪が適用でき、各細線１２などには、例えば０．０５乃至０．２ｍｍ程度の太さの人毛または化繊の毛髪を直接に縫着しあるいは巻き付けて接着するなど、多数本を所定の方向に突出させて取り付ける。
このような毛髪１５ａ，１５ｂを細線１２に取り付けたかつら１０によれば、細線１２の側面がやや短尺の縮髪１５ｂで覆われ、外方側の面に長尺の直毛などの毛髪１５ａが取り付けられることで、かつら１０の細線１２自体を視認しづらくすることができる。また、毛髪（縮毛）１５ｂを細線１２に取り付けることで自毛を押し上げることができるので、髪の全体的なボリューム感が得られる。
【００３７】
本発明では、毛髪１５ａ，１５ｂを取り付けた細線１２をみの毛として用いることができ、このみの毛を頭部の増毛箇所に取り付けるようにしてもよい。
図１４は、上記みの毛１６を頭部に取り付けた状態を示しているが、自毛の多くの図示を省略している。一方、図１４（ｂ）はその拡大斜視図である。
図１４（ａ）及び（ｂ）に示すみの毛１６の頭部への取り付けは、複数の自毛Ｈを細線１２に貫通させるか、この細線１２に巻回し又は接着するなどにより取り付けるようになっている。
このようなみの毛１６を頭部へ取り付けても容易に増毛を行なえ、さらに、細線１２の側面に植毛される毛髪１５ｂが縮髪であるため、外部から容易に視認しにくい効果がある。
【００３８】
さらに、上述した実施形態においては、細線１２は前後方向に或いは細線１２同士が交差して前後に延びている場合を説明したが、これに限らず、細線１２は、自毛の毛流と同一の方向あるいは使用者の整髪された髪型の毛流方向に沿って延びるように配置構成することもできる。
この場合、毛流方向へのブラッシングによって自毛の引き出しを容易に行なうことができると共に、ブラシや櫛がブラッシングの際に細線に引っかかることがない。
【００３９】
ところで、上記実施形態では、部分かつら、部分かつら用のかつらベースを例に説明したが、本発明は全かつらにも適用することができる。
図１５は、本発明の実施形態に係る全かつら５０用のかつらベースを示す概略斜視図である。なお、この図１５に示す全かつら用のかつらベース５１は、公知の素材で形成することができ、その全体をポリエステル或いはポリエチレンなどの材質のネットと全体の型を保持するために周縁をポリウレタンなどでコーティングして型が保持されるように成形するとか、少なくとも一部に人工皮膚を組み合わせて構成するなど、任意に形成し得る。
【００４０】
図１５に示すように、かつらベース５１は、左側頭部対応位置のネット（又は人工皮膚）の一部が切り取られており、その部位に細線１２が配設されている。また、切除部５３の周縁においては、ネット（又は人工皮膚）を内側又は外側へ折り返して畳み込み、その間に細線１２を挟み込んでミシンなどを用いて縫い合わせて、その周縁が一定の型を保持するように形成する。切除部５３に挟み込む細線１２は、剛性をもって一定の形体を保持し得る金属や形状記憶合金などが有利である。
上記切除部５３の位置や大きさや形状或いはその個数などは、自毛の密度や発汗部位などにより様々に変更することができる。
上記例の場合も、細線１２は自毛の毛流方向に沿って適宜の本数で設けられ、頭部の湾曲形状に沿う形状に成形されてネットに取り付けられる。
なお、このかつらベース５１は複数の構成部材からなっており、図１５に示す点線５２は、その繋ぎ目である。
【００４１】
ここで、図１６は上記実施形態に係る全かつらを頭部に装着した状態を示す斜視図であり、天頂部と左側頭部（及び／又は右側頭部）との切除部分から自毛を引き出すようにしている。図１６ではかつらベース５１や細線１２に植毛される毛髪の図示を省略している。
【００４２】
このような本発明の実施形態に係る全かつらを用いれば、切除部分から自毛を容易に引き出すことができ、引き出された自毛とかつらに植毛された毛髪とが絡み合わさり易い。さらに、毛髪１５ａ，１５ｂにより外部から細線１２を視認し難いように構成されている。また、毛髪１５ａ，１５ｂにより、自毛にボリューム感を与えることができる。
【００４３】
さらに、細線１２自体が剛性材料で且つ弾性を備えているので、全かつらの型体が安定した形態でヘアスタイルを整えることができる。すなわち、頭部へかつら５０を装着して、櫛でとかした際に、自毛や植毛した毛髪１５ａ，１５ｂが引っ張られ細線１２自体も変形するが、その弾力性や一定の形体に形成されているかつらベース５１に保持されていることで、この細線１２はすぐに復元し、ヘアスタイルを容易に整えることができる。
【００４４】
上記各実施形体に示したかつらベースやフレームには、これらを頭部に確実に取り付けるために、止め具を配設することができるのは勿論である。
以上詳述したが、本発明は、その趣旨を逸脱しない範囲で様々な態様で実施できる。
【００４５】
【発明の効果】
以上述べたように、この発明によれば、例えば特に各細線の間から自毛が引き出される際に細線が引っ張られたとしても、細線自体が剛性且つ弾力性を備え、元の形に復元し得ること、また、各細線が周縁枠部材などに固定されていることから、かつらベース及びかつらの型が安定し、自毛や地肌を痛めずにヘアスタイルを容易に調節することができる。
また、本発明の細線によれば、芯材と熱収縮性のチューブなどの被覆部材とで構成することで、頑丈に且つ復元性よくフレームを構成することができ、植毛作業も極めて容易になる等、種々の利点を有している。
【図面の簡単な説明】
【図１】本発明による自毛活用型かつらの一実施形態の構成を示す、毛髪を省略した概略平面図である。
【図２】（ａ）〜（ｃ）は、本発明に用いる細線の製造工程を説明する斜視図である。
【図３】（ａ）〜（ｃ）は、本発明に用いる細線の別の製造工程を説明する斜視図である。
【図４】（ａ）及び（ｂ）は、本発明の実施形体において、細線の周縁枠部材への取り付けを説明するための斜視図である。
【図５】図１に示す自毛活用型かつらを頭部へ装着した状態を示す斜視図である。
【図６】本発明の自毛活用型かつらの他の実施形態の構成を示す概略平面図である。
【図７】図６に示す自毛活用型かつらを頭部へ装着した状態を示す斜視図である。
【図８】（ａ）は本発明の実施形態に係る周縁枠部材の一構成例を示す斜視図であり、（ｂ）は（ａ）の周縁枠部材の内側端縁に細線を取り付ける差し込み口を示す部分拡大斜視図である。
【図９】本発明の実施形態において、補助部材を備えたかつらベースの斜視図である。
【図１０】本発明の別の実施形態に係る自毛活用型かつらのフレームの斜視図である。
【図１１】図１０の変形例を示す斜視図である。
【図１２】本発明のさらに他の実施形態に係るフレームの平面図である。
【図１３】（ａ）は、本発明に用いる細線に毛髪を植設した状態を示す部分拡大斜視図、（ｂ）はその側面図であり、（ｃ）は、（ｂ）のＡ−Ａ端面図である。
【図１４】（ａ）は本発明をみの毛として構成し、頭部へ装着した状態を示す概略斜視図であり、（ｂ）はその取り付け状態の要部を拡大した斜視図である。
【図１５】本発明を全かつらに適用した例を示す概略斜視図である。
【図１６】図１５の全かつらを頭部に装着した状態を示す斜視図である。
【図１７】従来の増毛部材の概略平面図である。
【符号の説明】
１０    自毛活用型かつら
１１    周縁枠部材
１１ａ，１１ｂ    ネット
１１ｃ  差込み穴
１２    細線
１２ａ    芯材
１２ｂ    熱収縮性のチューブ（被覆部材）
１２ｃ    編み込みパイプ
１２ｄ    紐
１２ｅ    細線の先端部
１３      スライド細線
１４      ガイド細線
１５，１５ａ，１５ｂ    毛髪
１６    みの毛
２０，３０，４０  フレーム
２１    平面部材
３１    かつらベース
４１    人工皮膚
５０    全かつら
５１    かつらベース
５３    切除部
Ｈ      自毛
【図１】
0004665238.tif 000002
【図２】
0004665238.tif 000003
【図３】
0004665238.tif 000004
【図４】
0004665238.tif 000005
【図５】
0004665238.tif 000006
【図６】
0004665238.tif 000007
【図７】
0004665238.tif 000008
【図８】
0004665238.tif 000009
【図９】
0004665238.tif 000010
【図１０】
0004665238.tif 000011
【図１１】
0004665238.tif 000012
【図１２】
0004665238.tif 000013
【図１３】
0004665238.tif 000014
【図１４】
0004665238.tif 000015
【図１５】
0004665238.tif 000016
【図１６】
0004665238.tif 000017
【図１７】
0004665238.tif 000018